(57)【特許請求の範囲】
【請求項１】
複数の非接触型ＩＣカードを並べて配置し、電磁波を照射することで、当該複数の非接触型ＩＣカードに個別の情報を記録する情報記録装置であって、
前記ＩＣカードに記録する情報を、記録対象のＩＣカードに電磁波で送信する送信手段と、
前記記録対象のＩＣカードの周辺に配置された情報の記録対象でないＩＣカード付近に設置され、前記送信手段が送信する電磁波に基づいて、前記送信手段によって送信された電磁波を打ち消すような電磁波を出力する出力手段と、
を備えることを特徴とする情報記録装置。
【請求項２】
前記出力手段は、
情報の記録対象でないＩＣカード付近に設置され、前記送信手段によって送信された既知の特性を有する電磁波を受信する受信手段と、
前記送信手段によって送信される既知の特性を有する電磁波と、前記受信手段によって受信される電磁波とに基づいて、前記送信手段によって送信された電磁波を打ち消すような電磁波の特性を求める電磁波決定手段と、を備え、
前記電磁波決定手段によって求められた特性を有する電磁波を出力することを特徴とする請求項１に記載の情報記録装置。
【請求項３】
前記出力手段は、
情報の記録対象でないＩＣカード付近に設置され、前記送信手段によって送信された電磁波を受信する受信手段と、
前記送信手段によって送信される電磁波と、前記受信手段によって受信される電磁波とに基づいて、前記送信手段によって送信された電磁波の減衰率を求める減衰率決定手段と、
前記送信手段によって送信される電磁波と、前記減衰率決定手段によって求められた減衰率とに基づいて、前記送信手段によって送信された電磁波を打ち消すような電磁波の特性を求める電磁波決定手段と、を備え、
前記電磁波決定手段によって求められた特性を有する電磁波を出力することを特徴とする請求項１に記載の情報記録装置。
【請求項４】
前記電磁波の特性は、電磁波の振幅、周波数、及び、位相の内の少なくとも１つであることを特徴とする請求項１乃至３の何れか１項に記載の情報記録装置。
【請求項５】
非接触型のＩＣカードに情報を記録するための電磁波を打ち消す防磁装置であって、
情報の記録対象である前記ＩＣカードに向けて送信された既知の特性を有する電磁波を、情報の記録対象でない前記ＩＣカード付近で受信する受信手段と、
前記ＩＣカードに向けて送信される既知の特性を有する前記電磁波と、前記受信手段で受信した電磁波とに基づいて、送信される前記電磁波を打ち消すような電磁波の特性を求める電磁波決定手段と、
情報の記録対象でない前記ＩＣカード付近に設置され、前記電磁波決定手段が求めた特性を有する電磁波を出力する出力手段と、
を備えることを特徴とする防磁装置。
【請求項６】
複数の非接触型ＩＣカードを並べて配置し、情報記録装置によって電磁波を照射することで、当該複数の非接触型ＩＣカードに個別の情報を記録する情報記録方法であって、
前記情報記録装置が、前記ＩＣカードに記録する情報を、記録対象のＩＣカードに電磁波で送信する送信工程と、
前記記録対象のＩＣカードの周辺に配置された情報の記録対象でないＩＣカード付近に設置される防磁装置が、前記送信工程で送信される電磁波に基づいて、前記送信工程で送信された電磁波を打ち消すような電磁波を出力する出力工程と、
を備えることを特徴とする情報記録方法。
【請求項７】
前記出力工程は、
情報の記録対象でないＩＣカード付近において、前記送信工程で送信された既知の特性を有する電磁波を受信する受信工程と、
前記送信工程で送信される既知の特性を有する電磁波と、前記受信工程で受信される電磁波とに基づいて、前記送信工程で送信された電磁波を打ち消すような電磁波の特性を求める電磁波決定工程と、を備え、
前記電磁波決定工程で求められた特性を有する電磁波を出力することを特徴とする請求項６に記載の情報記録方法。
【請求項８】
前記出力工程は、
情報の記録対象でないＩＣカード付近において、前記送信工程で送信された電磁波を受信する受信工程と、
前記送信工程で送信される電磁波と、前記受信工程で受信される電磁波とに基づいて、前記送信工程で送信された電磁波の減衰率を求める減衰率決定工程と、
前記送信工程で送信される電磁波と、前記減衰率決定工程で求められた減衰率とに基づいて、前記送信工程で送信された電磁波を打ち消すような電磁波の特性を求める電磁波決定工程と、を備え、
前記電磁波決定工程で求められた特性を有する電磁波を出力することを特徴とする請求項６に記載の情報記録方法。
【発明の詳細な説明】
【０００１】
【発明の属する技術分野】
本発明は、非接触型の情報記憶媒体に情報を記録する情報記録装置、防磁装置、及び、情報記録方法に関し、特に、非接触型のＩＣカードに情報を記録する情報記録装置、防磁装置、及び、情報記録方法に関する。
【０００２】
【従来の技術】
ＩＣカードとは、集積回路（ＩＣ）をプラスチック製のカード内に埋め込み、情報を記憶するカード状の情報記憶媒体である。
【０００３】
ＩＣカードには接触型と非接触型がある。接触型ＩＣカードではＩＣチップの電極がカード表面に露出しており、情報を記録したり読み出したりするリーダ又はライタがこのＩＣチップの電極等に直接接触して情報の記録、読み出しを行う。また、非接触型ＩＣカードではＩＣチップがカード表面に露出しておらず、リーダ又はライタは、電磁波（電波、マイクロ波等）を使用して、情報の記録、読み出しを行う。
【０００４】
ＩＣカードは、従来の磁気カードと比較して、多くの情報を記憶することができ、情報の機密保持性等が優れているため、ＩＤカード、定期券、プリペイドカード等の様々なものに、磁気カードに代わって使用されつつある。
【０００５】
通常ＩＣカードに記録される情報には、カード番号等のカード毎に異なる情報（個別情報）と、ＩＣカードの種別等の複数のカードに共通の情報（共通情報）とがある。
【０００６】
【発明が解決しようとする課題】
非接触型のＩＣカードを工場等で製造する場合、記録する情報を示す電磁波を、生のＩＣカード（情報が書き込まれていない状態のＩＣカード）に照射して情報を記録する。
【０００７】
情報を記録する際に使用する電磁波は、ある広がりを持って照射されるので、例えば、ベルトコンベア等に複数のＩＣカードを並べて運搬すると、複数のＩＣカードに電磁波が照射される。従って、複数のＩＣカードに同一の情報が記録される。
【０００８】
従って、記録する情報がカード番号等の個別情報である場合は、情報を記録する対象以外のＩＣカードには、間違った情報が記録されてしまうという問題がある。
【０００９】
また、以上の問題を避けるために、記録対象以外のＩＣカードを電磁波が当たらない場所に隔離すると、大量にカードを生産するには、効率が悪いという問題がある。
【００１０】
従って、本発明は、非接触型のＩＣカードに効率よく、正確に情報を記録する情報記録装置、防磁装置、及び、情報記録方法を提供することを目的とする。
【００１１】
【課題を解決するための手段】
上記目的を達成するために、本発明の第１の観点にかかる情報記録装置は、
複数の非接触型ＩＣカードを並べて配置し、電磁波を照射することで、当該複数の非接触型ＩＣカードに個別の情報を記録する情報記録装置であって、
前記ＩＣカードに記録する情報を、記録対象のＩＣカードに電磁波で送信する送信手段と、
前記記録対象のＩＣカードの周辺に配置された情報の記録対象でないＩＣカード付近に設置され、前記送信手段が送信する電磁波に基づいて、前記送信手段によって送信された電磁波を打ち消すような電磁波を出力する出力手段と、
を備えることを特徴とする。
【００１２】
この発明によれば、送信手段によって送信された電磁波を、出力手段によって出力された電磁波で、打ち消すことができる。従って、記録対象以外のＩＣカードに電磁波が照射され、間違った情報を記録してしまうことを防ぐことができる。
【００１３】
前記出力手段は、情報の記録対象でないＩＣカード付近に設置され、前記送信手段によって送信された既知の特定を有する電磁波を受信する受信手段と、前記送信手段によって送信される既知の特性を有する電磁波と、前記受信手段によって受信される電磁波とに基づいて、前記送信手段によって送信された電磁波を打ち消すような電磁波の特性を求める電磁波決定手段と、を備え、前記電磁波決定手段によって求められた特性を有する電磁波を出力してもよい。
【００１４】
前記出力手段は、情報の記録対象でないＩＣカード付近に設置され、前記送信手段によって送信された電磁波を受信する受信手段と、前記送信手段によって送信される電磁波と、前記受信手段によって受信される電磁波とに基づいて、前記送信手段によって送信された電磁波の減衰率を求める減衰率決定手段と、前記送信手段によって送信される電磁波と、前記減衰率決定手段によって求められた減衰率とに基づいて、前記送信手段によって送信された電磁波を打ち消すような電磁波の特性を求める電磁波決定手段と、を備え、前記電磁波決定手段によって求められた特性を有する電磁波を出力してもよい。
【００１５】
前記電磁波の特性は、電磁波の振幅、周波数、及び、位相の内の少なくとも１つである。
【００１６】
本発明の第２の観点にかかる防磁装置は、非接触型のＩＣカードに情報を記録するための電磁波を打ち消す防磁装置であって、情報の記録対象である前記ＩＣカードに向けて送信された既知の特性を有する電磁波を、情報の記録対象でない前記ＩＣカード付近で受信する受信手段と、前記ＩＣカードに向けて送信される既知の特性を有する前記電磁波と、前記受信手段で受信した電磁波とに基づいて、送信される前記電磁波を打ち消すような電磁波の特性を求める電磁波決定手段と、情報の記録対象でない前記ＩＣカード付近に設置され、前記電磁波決定手段が求めた特性を有する電磁波を出力する出力手段と、を備えることを特徴とする。
【００１７】
本発明によっても、ＩＣカードに情報を記録するための電磁波を、出力手段によって出力された電磁波で、打ち消すことができる。従って、記録対象以外のＩＣカードに電磁波が照射され、間違った情報を記録してしまうことを防ぐことができる。
【００１８】
前記測定手段は、前記電磁波の特性として、電磁波の振幅、周波数、及び、位相の内、少なくとも１つを測定する手段を備えてもよい。
【００１９】
本発明の第３の観点にかかる情報記録方法は、
複数の非接触型ＩＣカードを並べて配置し、情報記録装置によって電磁波を照射することで、当該複数の非接触型ＩＣカードに個別の情報を記録する情報記録方法であって、
前記情報記録装置が、前記ＩＣカードに記録する情報を、記録対象のＩＣカードに電磁波で送信する送信工程と、
前記記録対象のＩＣカードの周辺に配置された情報の記録対象でないＩＣカード付近に設置される防磁装置が、前記送信工程で送信される電磁波に基づいて、前記送信工程で送信された電磁波を打ち消すような電磁波を出力する出力工程と、
を備えることを特徴とする。
【００２０】
前記出力工程は、情報の記録対象でないＩＣカード付近において、前記送信工程で送信された既知の特性を有する電磁波を受信する受信工程と、前記送信工程で送信される既知の特性を有する電磁波と、前記受信工程で受信される電磁波とに基づいて、前記送信工程で送信された電磁波を打ち消すような電磁波の特性を求める電磁波決定工程と、を備え、前記電磁波決定工程で求められた特性を有する電磁波を出力してもよい。
【００２１】
前記出力工程は、情報の記録対象でないＩＣカード付近において、前記送信工程で送信された電磁波を受信する受信工程と、前記送信工程で送信される電磁波と、前記受信工程で受信される電磁波とに基づいて、前記送信工程で送信された電磁波の減衰率を求める減衰率決定工程と、前記送信工程で送信される電磁波と、前記減衰率決定工程で求められた減衰率とに基づいて、前記送信工程で送信された電磁波を打ち消すような電磁波の特性を求める電磁波決定工程と、を備え、前記電磁波決定工程で求められた特性を有する電磁波を出力してもよい。
【００２２】
【発明の実施の形態】
次に本発明の第１の実施の形態にかかる情報記録装置について図面を参照して説明する。
【００２３】
情報記録装置が情報を記録する非接触型のＩＣカードは、例えば、遊技媒体等の貸出の対価の支払い等で、プリペイドカードとして使用される。従って、ＩＣカード（プリペイドカード）に記録される情報としては、例えば、連番で示されるカードＩＤ等のカード毎に異なる情報（個別情報）と、券面金額、記録日等の複数のＩＣカードに共通の情報（共通情報）とがある。
【００２４】
情報記録装置は、この個別情報と共通情報を、電磁波（電波、マイクロ波等）を使用してＩＣカードに記録する。
【００２５】
図１は、情報記録装置が、ＩＣカード３０−２に電磁波を照射して情報を記録している状態を示している。ＩＣカードは、ベルトコンベア４０等で搬送されて、順に電磁波を照射されるが、電磁波はある広がりを持っているので、ＩＣカード３０−２付近のＩＣカード３０−１、３０−３にも照射される。
【００２６】
従って、図１に示すようにして、ＩＣカードに個別情報を記録する場合は、複数のＩＣカードに同一の個別情報が記録されてしまう。
【００２７】
このような事態を避けるために、情報記録装置は、ＩＣカードに情報を記録する書き込み装置と、記録対象以外のＩＣカード３０−１、３０−３付近において、書き込み装置から出力された電磁波の強度を弱める防磁装置と、から構成されている。
【００２８】
以下に、この情報記録装置の構成について説明する。
図２は、情報記録装置を構成する書込装置１０と防磁装置２０の構成を示すブロック図である。
【００２９】
図２（ａ）に示す書込装置１０は、入力部１１と、記憶部１２と、制御部１３と、電磁波発生回路１４と、を備えている。
【００３０】
入力部１１は、ＩＣカードに個別情報や共通情報等を記録するために、情報の記録開始指示等を入力する。
記憶部１２は、ＩＣカードに書き込む情報等を記憶する。
【００３１】
制御部１３は、プロセッサ等から構成され、情報の記録開始指示に応答して、電磁波発生回路１４を制御して電磁波を発生させ、記憶部１２に記憶されている情報をＩＣカードに送信する。
電磁波発生回路１４は、コイル等を備え、電磁波を発生させる。
【００３２】
図２（ｂ）に示す防磁装置２０は、受信部２１と、電磁波測定部２２と、制御部２３と、電磁波発生回路２４と、を備えている。
受信部２１は、書込装置１０が発生した電磁波を受信して、電流信号に変換し、電磁波測定部２２に出力する。
電磁波測定部２２は、受信部２１から供給された電流信号から、書込装置１０が出力した電磁波の特性（例えば、振幅、周波数、位相等）を測定して制御部２３に出力する。
【００３３】
制御部２３は、プロセッサ等から構成され、電磁波測定部２２の測定結果から、書込装置１０が出力した電磁波を打ち消すような電磁波の特性を求め、電磁波発生回路２４を制御して求めた特性の電磁波を発生させる。
【００３４】
電磁波発生回路２４は、コイル等を備え、電磁波を発生させる。
【００３５】
図３は、非接触型のＩＣカード３０の構成を示した図である。
ＩＣカード３０は、送受信部３１と、ＣＰＵ（Ｃｅｎｔｒａｌ  Ｐｒｏｃｅｓｓｉｎｇ  Ｕｎｉｔ；中央処理装置）３２と、記憶部３３と、から構成されている。
【００３６】
送受信部３１は、コイル等を備え、電磁波により情報を送受信する。また、送受信部３１は、書込装置１０が出力した電磁波を受信して、電流信号に変換し、ＣＰＵ３２に出力する。
【００３７】
ＣＰＵ３２は、受信部３１から入力された電流信号の大きさが、予め設定された大きさを超えた場合に動作する。即ち、ＩＣカード３０内の電源がＯＮになる。そして、ＣＰＵ３２は、受信部３１が変換した電流信号で示される情報を記憶部３３に書き込む。また、ＣＰＵ３２は、送受信部３１で受信したコマンド等に応答して、記憶部３３が記憶している情報を読み出し、送受信部３１を介して送信する。なお、ＣＰＵ３２は、内部メモリを備え、この内部メモリには、電磁波で送信された情報を記憶部３３の指定された領域に書き込むプログラム等が予め記録されている。
【００３８】
記憶部３３は、ＣＰＵ３２から入力された情報を記憶する。
【００３９】
次に、以上のような構成の情報記録装置を使用して、例えば図１で示したようにして、非接触型のＩＣカード（情報が記録されていないＩＣカード）に個別情報を記録する場合の動作について説明する。
【００４０】
なお、図１の場合、情報の記録対象のＩＣカード３０は、ＩＣカード３０−２であり、防磁装置２０は、記録対象以外のＩＣカード３０−１、３０−３付近（例えば、ベルトコンベア４０の脇）に設置される。
【００４１】
ＩＣカード３０に情報を記録する場合、情報記録装置の使用者は、書込装置１０の入力部１１から情報記録開始の指示を入力する。
【００４２】
制御部１３は、この情報記録開始指示の入力に応答して、電磁波発生回路１４を制御して、例えば図４（ａ）に示すような波形の電磁波を発生させ、記録する個別情報を記録対象のＩＣカード３０−２に送信する。
【００４３】
ＩＣカード３０−２では、送受信部３１が書込装置１０から送信された強い電磁波を受信し、電流信号に変換してＣＰＵ３２に出力する。送受信部３１によって変換された電流信号は強く、この電流信号によりＣＰＵ３２がＯＮして動作する。
【００４４】
ＣＰＵ３２は、送受信部３１から入力された情報を記憶部３３に出力して記憶させる。
【００４５】
一方、防磁装置２０では、受信部２１が書込装置１０から送信された電磁波を受信して電流信号に変換し、電磁波測定部２２に出力する。
【００４６】
電磁波測定部２２は、受信部２１によって入力された電流信号から、電磁波の特性を測定し、その測定結果を制御部２３に出力する。
【００４７】
制御部２３は、電磁波測定部２２の測定結果から、書込装置１０によって出力された電磁波を打ち消すような電磁波の特性を求める。求められる特性は、例えば振幅と位相であり、振幅は受信部２１で受信された電磁波（受信電磁波）と同一の振幅であり、位相は受信電磁波と逆の位相である。そして、制御部２３は、電磁波発生回路２４を制御して、求めた特性を有する、図４（ｂ）に示すような電磁波を発生させる。
【００４８】
この防磁装置２０から出力された電磁波によって、書込装置１０から出力された電磁波は、ＩＣカード３０−１、３０−３付近において、図４（ｃ）に示すように微弱になる。従って、ＩＣカード３０−１、３０−３では、送受信部３１によって電磁波から変換された電流信号が弱く、ＣＰＵ３２がＯＮせず動作しない。従って、書込装置１０から送信された情報は記録されない。
【００４９】
また、書込装置１０の電磁波発生回路１４から出力された電磁波は、ＩＣカード３０−１、３０−３付近では、出力直後に比べて多少減衰しているので、上記のように防磁装置２０をＩＣカード３０付近に設置することによって、効率よく防磁することができる。
【００５０】
以上のようにして、カード番号等の個別情報を、記録対象のＩＣカードのみに効率よく記録することができる。
【００５１】
次に、本発明の第２の実施の形態にかかる情報記録装置について説明する。
【００５２】
図５は、情報記録装置の構成を示す図である。
【００５３】
情報記録装置は、入力部５１と、記憶部５２と、ＣＰＵ５３と、書込用電磁波発生回路５４と、防磁用電磁波発生回路５５と、受信部５６と、電磁波測定部５７と、から構成されている。
【００５４】
入力部５１は、ＩＣカード３０に個別情報や共通情報等を記録するために、情報の記録開始指示等を入力する。
【００５５】
記憶部５２は、ＩＣカード３０に書き込む情報等を記憶する。
【００５６】
ＣＰＵ５３は、情報記録装置全体の動作を制御する。ＣＰＵ５３の詳しい動作は、後述する。
【００５７】
書込用電磁波発生回路５４は、コイル等を備え、ＩＣカード３０に記録する情報を示す電磁波を発生させる。
【００５８】
防磁用電磁波発生回路５５は、コイル等を備え、書込用電磁波発生回路５４から出力された電磁波を打ち消すような電磁波を発生させる。なお、防磁用電磁波発生回路５５は、第１の実施形態で示した防磁装置２０と同様に、情報を記録する対象でないＩＣカード３０付近（例えば、ＩＣカード３０を搬送しているベルト等の脇）に設置される。
【００５９】
受信部５６は、書込用電磁波発生回路５４が発生した電磁波を受信して、電流信号に変換する。なお、受信部５６は、防磁用電磁波発生回路５５と同様に、情報を記録する対象でないＩＣカード３０付近に設置される。
【００６０】
電磁波測定部５７は、受信部５６によって受信された電磁波の強度（電磁波形の振幅）を測定してＣＰＵ５３に出力する。
【００６１】
また、非接触型のＩＣカード３０の構成は、第１の実施の形態で示したのと同様である。
次に、以上のような構成の情報記録装置の動作について説明する。
【００６２】
情報記録装置の使用者が、入力部５１からＩＣカード３０への情報記録開始の指示を入力すると、ＣＰＵ５３は、この指示の入力に応答して、書込用電磁波発生回路５４を制御して電磁波を発生させ、記録する情報をＩＣカード３０に送信する。
【００６３】
ＩＣカード３０は、第１の実施の形態と同様の動作を行い、書込用電磁波発生回路５４から送信された情報を記憶する。
また、書込用電磁波発生回路５４から出力された電磁波は、受信部５６によって受信される。
受信部５６は、受信した電磁波を電流信号に変換し、電磁波測定部５７に出力する。
電磁波測定部５７は、受信部５６によって出力された電流信号から、書込用電磁波発生回路５４が出力した電磁波の強度を測定する。
【００６４】
ＣＰＵ５３は、書込用電磁波発生回路５４を制御して出力した電磁波の強度と、電磁波測定部５７の測定結果とから、電磁波の減衰率を求める。そして、ＣＰＵ５３は、防磁用電磁波発生回路５５を制御して、書込用電磁波発生回路５４から出力された電磁波を打ち消すような電磁波を発生させる。即ち、ＣＰＵ５３では、書込用電磁波発生回路５４から出力された電磁波の波形が既知であるので、電磁波の減衰率を求めるだけで、この電磁波を打ち消すような電磁波を生成することができる。
【００６５】
また、図１に示すようにしてＩＣカードに情報を記録する場合、例えば、ＩＣカード３０−１に情報を記録しているときに求めた減衰率を、ＩＣカード３０−２に情報を記録しているときに使用する。即ち、予め電磁波の減衰率を求めておけば、書込用電磁波発生回路５４での電磁波の出力と、防磁用電磁波発生回路５５での電磁波の出力とを、同期させて行うことができ、より防磁効果を向上することができる。
【００６６】
上記した電磁波の減衰率や、情報を記録するための電磁波が出力されてからＩＣカード３０に到達するまでの時間（遅延時間）等の情報を予め実験や理論計算等によって求め、装置に設定しておけば、受信部５６及び電磁波測定部５７を省略し、書込用電磁波発生回路５４と防磁用電磁波発生回路５５を一体的に構成することができる。この場合、図６に示すように、情報記録装置を、入力部６１と、記憶部６２と、ＣＰＵ６３と、電磁波発生回路６４と、から構成することができる。
【００６７】
電磁波発生回路６４は、例えば、図７に示すような回路で構成される。
電磁波発生回路６４は、中間周波数回路７０と、増幅器７１、７２、７３と、発振回路７４と、書込用電磁波発生器７５と、防磁用電磁波発生器７６と、遅延回路７７と、から構成される。中間周波数回路７０は、ＣＰＵ６３が出力した信号を中間周波数信号に変換する。発振回路７４は、情報を電磁波で送信するための搬送波を生成するための局部発信器である。書込用電磁波発生器７５は、ＩＣカードに情報を記録するための電磁波を発生させる。防磁用電磁波発生器７６は、記録対象外のＩＣカード付近に設置され、書込用電磁波発生器７５からの電磁波を打ち消すような電磁波を発生させる。遅延回路７７は、防磁用電磁波発生器７６での電磁波の出力を、電磁波が書込用電磁波発生器７５から防磁用電磁波発生器７６付近まで伝わってくるのに要する時間（遅延時間）だけ遅らせるためのものである。
【００６８】
上記と同様にして入力部６１から情報記録開始指示が入力されると、ＣＰＵ６３は、この情報記録開始指示の入力に応答して、ＩＣカードに記録する情報を電磁波発生回路６４に出力する。ＣＰＵ６３から出力された情報（信号）は、中間周波数回路７０により中間周波数信号に変換され、増幅器７１により所定の増幅率で増幅される。増幅器７１で増幅された信号は、発振回路７４からの搬送波と重畳されて増幅器７２、７３に入力される。なお、増幅器７２、７３のそれぞれに入力される信号に重畳される搬送波は、それぞれ位相が逆である。
【００６９】
増幅器７２で増幅された信号は、書込用電磁波発生器７５に入力され、書込用電磁波発生器７５は、入力された信号に従って電磁波を発生させ、ＩＣカード３０に書き込む情報を送信する。増幅器７３によって増幅された信号は、遅延回路７７を介して防磁用電磁波発生器７６に入力される。そして、防磁用電磁波発生器７６は、記録対象外のＩＣカード付近において、書込用電磁波発生器７５から出力された電磁波を打ち消すような電磁波を出力する。なお、増幅器７３の増幅率は、上記した電磁波の減衰率を使用して、記録対象外のＩＣカード付近において、防磁用電磁波の振幅と書込用電磁波の振幅とが、実質的に等しくなるように設定されている。また、防磁用電磁波発生器７６から出力される電磁波は、書込用電磁波発生器７５で電磁波が出力されてから、上記の遅延時間だけ遅れて出力される。
【００７０】
以上のようにして、この情報記録装置でも、第１及び第２の実施の形態で示したように、カード番号等の個別情報を、記録対象のＩＣカードのみに効率よく記録することができる。
【００７１】
上記の情報記録装置において、１台の書込装置１０に対して、複数台の防磁装置２０を設置し、防磁効果を高めるようにしてもよい。又は、電磁波発生回路２４、防磁用電磁波発生回路５５、防磁用電磁波発生器７６を複数設置するような構成にしてもよい。
【００７２】
なお、上記したＩＣカード３０のＣＰＵ３２が、記憶部３３に個別情報が記録されている場合に、電磁波で送信された個別情報を記録しないという設定（プログラム構成）であれば、防磁装置２０を個別情報が記録されていないＩＣカード３０付近にのみ設置するようにしてもよい。
【００７３】
また、記録対象外のＩＣカード付近において、情報を記録するための電磁波を完全に打ち消す必要はなく、ＩＣカード３０の送受信部３１で変換された電流の大きさが小さく、ＣＰＵ３２がＯＮせず、動作しない程度に微弱になるようにすればよい。
【００７４】
【発明の効果】
以上の説明から明らかなように、本発明によれば、非接触型のＩＣカードに情報を記録するために出力された電磁波を打ち消すことができる。即ち、記録対象以外の生のＩＣカードに間違った情報を記録することを防ぐことができる。従って、効率よく正確な情報を非接触型のＩＣカードに記録することができる。
【図面の簡単な説明】
【図１】ＩＣカードに電磁波を照射して、情報を記録している状態を示す図である。
【図２】情報記録装置の構成例を示す図である。
【図３】ＩＣカードの構成例を示す図である。
【図４】電磁波の波形を示す図である。
【図５】情報記録装置の構成例を示す図である。
【図６】情報記録装置の構成例を示す図である。
【図７】図６の電磁波発生回路の構成例を示す図である。
【符号の説明】
１０  書込装置
１１  入力部
１２  記憶部
１３  制御部
１４  電磁波発生回路
２０  防磁装置
２１  受信部
２２  電磁波測定部
２３  制御部
２４  電磁波発生回路
３０  ＩＣカード
３０−１、３０−２、３０−３  ＩＣカード
３１  受信部
３２  ＣＰＵ（Ｃｅｎｔｒａｌ  Ｐｒｏｃｅｓｓｉｎｇ  Ｕｎｉｔ；中央処理装置）
３３  記憶部
４０  ベルトコンベア
５１  入力部
５２  記憶部
５３  ＣＰＵ（Ｃｅｎｔｒａｌ  Ｐｒｏｃｅｓｓｉｎｇ  Ｕｎｉｔ；中央処理装置）
５４  書込用電磁波発生回路
５５  防磁用電磁波発生回路
５６  受信部
５７  電磁波測定部
６１  入力部
６２  記憶部
６３  ＣＰＵ（Ｃｅｎｔｒａｌ  Ｐｒｏｃｅｓｓｉｎｇ  Ｕｎｉｔ；中央処理装置）
６４  電磁波発生回路
７０  中間周波数回路
７１、７２、７３  増幅器
７４  発振回路
７５  書込用電磁波発生器
７６  防磁用電磁波発生器
７７  遅延回路
【図１】
0003628898.tif 000002
【図２】
0003628898.tif 000003
【図３】
0003628898.tif 000004
【図４】
0003628898.tif 000005
【図５】
0003628898.tif 000006
【図６】
0003628898.tif 000007
【図７】
0003628898.tif 000008